(57)【要約】【課題】ガタ付きが防止され、操作感が均一で良好であり、並びも均一で体裁のよい押しボタン装置を提供する。【解決手段】取り付け穴を配した操作パネルと、該操作パネルの取り付け穴に挿通される主部とこれの軸線と変位した操作用軸部を有する押しボタン部材と、一部をもって前記操作パネルに固定されるボタンホルダー部材とを備え、前記押しボタン部材が、前記操作用軸部と離間した主部背面位置に係合部を有し、ボタンホルダー部材は、固定部分から延びるばね性のアーム部を有し、該アーム部が前記係合部に対する係合部を有している。【選択図】図３
2005267903.tif 000002
【特許請求の範囲】
【請求項１】
取り付け穴を配した操作パネルと、該操作パネルの取り付け穴に挿通される主部とこれの軸線と変位した操作用軸部を有する押しボタン部材と、前記操作パネルに固定されるボタンホルダー部材とを備え、前記押しボタン部材が、前記操作用軸部と離間した主部背面位置に係合部を有し、ボタンホルダー部材が前記係合部に対する係合部を有するばね性のアーム部を備えていることを特徴とする押しボタン装置。
【請求項２】
ボタンホルダー部材が、押しボタン部材の近傍のパネル内面に当接されるとともにパネルに設けた穴との嵌合で保持される部分を有し、該部分には背方に延びその先端から下ることでばね性を付与されたアーム部が連設されており、前記アーム部の下端付近に、押しボタン部材の係合部に対向する係合部が形成されていることを特徴とする請求項１に記載の押しボタン装置。
【請求項３】
押しボタン部材の係合部が突起であり、ボタンホルダー部材の係合部が突起に対応する凹部を有する肉厚部であることを特徴とする請求項１または２に記載の押しボタン装置。
【発明の詳細な説明】
【技術分野】
【０００１】
本発明はスイッチなどを操作する押しボタン装置に関する。
【背景技術】
【０００２】
車載用オーディオ機器やナビゲーション機器などにおいては、操作パネルに複数の押しボタンが配されている。
かかる押しボタン装置は、従来、それぞれの独立した押しボタン部材を、操作パネル（エスカッション）に設けた取り付け穴に前面側から挿着するか、あるいは、図１と図２のように、複数の押しボタン部材Ｂを、枝板部Ｃを介して帯状連結部Ｄで一連につないだヒンジ付きユニットを用い、これを操作パネルＡの裏側に配し、各押しボタン部材Ｂを操作パネルＡの取り付け穴ａから突出させ、各枝板部Ｃに設けたボスｃを操作パネルＡの穴ｅに嵌めて支点を構成していた。
【０００３】
この先行技術は、独立した押しボタン部材の場合よりも部品点数は少なくてすむものの、この種の押しボタン装置は、基板との間に導光部材Ｆを介在させて照明を行なう関係から、ボタン本体Ｂ1と操作部（足部）Ｂ２とが同一線上になく、位置が変位した関係にある。
そこで、帯状連結部Ｄとボスｃに押しボタン部材に対するヒンジの役目を果たさせているが、片持ち支持であるため不安定化を避けられず、装着状態にガタつきが生じて、操作感が悪くなりやすい問題があった。
【０００４】
また、先行技術では、帯状連結部Ｄと枝板部Ｃを押しボタン部材Ｂに対するヒンジとしているので、押しボタン相互の間隔が均等でない場合には、或る押しボタン部材間と別の押しボタン部材間での帯状連結部の長さが異なることになり、その結果ばね力が不均一となり、操作力が押しボタン間で不揃いになるという問題があった。
さらに、成形誤差があったり、使用時までの間に帯状連結部Ｄが変形を起すことがあり、それによりパネルの取り付け穴位置と齟齬が生じ、これによってもガタ付きが発生したり、押しボタンの並びの不均一化が生ずるという問題があった。
【特許文献１】実開平６−５４１６４号公報
【発明の開示】
【発明が解決しようとする課題】
【０００５】
本発明は前記のような問題点を解消するためになされたもので、その目的とするところは、ガタ付きが防止され、操作感が均一で良好であり、並びも均一で体裁のよい押しボタン装置を提供することにある。
【課題を解決するための手段】
【０００６】
上記目的を達成するため本発明は、取り付け穴を配した操作パネルと、該操作パネルの取り付け穴に挿通される主部とこれの軸線と変位した操作用軸部を有する押しボタン部材と、前記操作パネルに固定されるボタンホルダー部材とを備え、前記押しボタン部材が、前記操作用軸部と離間した主部背面位置に係合部を有し、ボタンホルダー部材が前記係合部に対する係合部を有するばね性のアーム部を備えていることを特徴としている。
【発明の効果】
【０００７】
本発明は押しボタン部材がヒンジ構造を持たず、各ボタン部材に対応するボタンホルダー部材がばね部を有し、そのばね部に設けた係合部と押しボタン部材主部背面の係合部との関係により位置決めと押しボタン部材に対するテンション付与を行なうので、力点となる主部と先端が作用点となる操作用軸部の軸線がずれているにもかかわらず、各押しボタン部材を、片持ちでなしに安定した両持ち支持とすることができ、したがって、各押しボタンが均一な並びで体裁がよくなり、ガタ付きもなく、また、各押しボタンの間隔が異なっていても、一様な操作感を創成できる。
【発明を実施するための最良の形態】
【０００８】
ボタンホルダー部材が、押しボタン部材の近傍のパネル内面に当接されるとともにパネルに設けた穴との嵌合で保持される部分を有し、該部分には背方に延びその先端から下ることでばね性を付与されたアーム部が連設されており、前記アーム部の下端付近に、押しボタン部材の係合部に対向する係合部が形成されている。
この構成によれば、比較的簡単な構造で操作パネルに対する固定と、押しボタン部材の位置決めおよびテンション付与を行なえる効果がある。
【０００９】
押しボタン部材の係合部が突起であり、ボタンホルダー部材の係合部が突起に対応する凹部を有する肉厚の台部である。
これによれば、確実に位置決めとテンション付与を行なえる効果がある。
【実施例１】
【００１０】
以下添付図面を参照して本発明の実施例を説明する。
図３ないし図７は本発明による押しボタン装置の第１態様を示している。図３と図４において、１は操作パネル（エスカッション）であり、窓孔状をなした複数の取り付け穴１０、１０が区画用の壁を介して所要の間隔で配設されている。
２は操作パネル１の背後に配された複数の押しボタン部材であり、プラスチック質からなっており、それぞれ各取り付け穴１０に納められて前方に突出する長さの主部２ａと、これと反対側（裏面）に延びる操作用軸２ｂを有している。各押しボタン部材２のすべてかあるいは一部は、天面に文字や記号などの輪郭を模った照明用部２０を有し、その照明用部は導光路２１を介して主部２ａの裏面に開孔している。
【００１１】
３はプリント基板であり、前記押しボタン部材２の操作用軸２ｂで押圧されるタクト型、プッシュ型など任意のスイッチ３ａを所定間隔で配設している。
４は前記プリント基板３と押しボタン部材２の間に位置されたボタンホルダー部材であり、プラスチック成形体からなっている。
５は図示しないＬＥＤなどの光源からの光を前記導光路２１に導くためにプリント基板３上に位置された照明用の導光部材である。
【００１２】
前記押しボタン部材２の主部２ａは、図７のように、取り付け穴１０の背面側周囲に当接可能な抜け止め用鍔２２を基端周囲に有しており、操作用軸部２ｂは、主部背面の中央部に、しかも図４のように主部２ａの中心の軸線と同軸上ではなく変位した位置（図では上方にずれている）から延設されている。これは、前記導光部材５の組み込みを許し、これからの光を前記主部２ａの導光路２１に導くためである。
そして、主部２ａの背面には、操作用軸部２ｂと反対側の位置（図４では下方）に、左右１組の係合部２３が設けられている。係合部はこの例では、半球状をなした突起として構成されている。
【００１３】
前記操作パネル１には、各取り付け穴１０、１０の近傍上位に、左右一対のスリット状の保持用穴１１が設けられるとともに、それら保持用穴１１の中間位置に支点用穴１２が設けられている。
【００１４】
前記ボタンホルダー部材４は、図４〜図６に示すように、操作パネル１の背面とりわけ押しボタン部材２の鍔部２２の近傍位置に固定される部分４ａを上半部に有しており、これの固定用部分４ａの下部位置に、背方に直角状に延びその先端から下ることでばね性を付与された複数のアーム部４ｂ、４ｂが一体に連設されている。アーム部４ｂ、４ｂは左右方向で間隔をおいて平行状に位置している。
【００１５】
固定用部分４ａには、面板部４０から板厚方向に延びる複数の嵌合用突片４１が設けられており、それら嵌合用突片４１は前記操作パネル１の保持用穴１１に対応する間隔と形状を備えている。そしてまた、面板４０には前記操作パネル１の支点用穴１２に嵌まる突起（ダボ）４００が形成されている。嵌合用突片４１の間隔は、すぼめて挿入し開放することで弾性により密着するように前記操作パネル１の保持用穴１１のそれと若干差異を有していることが好適である。
【００１６】
前記アーム部４ｂ、４ｂは、それぞれ下端付近に、前記押しボタン部材２の係合部２３、２３に対向する係合部４２が形成されている。それら係合部４２、４２は、この例では、肉厚部４２０を形成し、ここに半球状の凹部４２１を形成することで構成されている。
【００１７】
この実施態様では、ボタンホルダー部材４の固定用部分４ａにおける面板部４０は全幅でなく途中で終わって、そこに嵌合用突片４１が設けられ、該嵌合用突片４１の側面にアーム部４ｂの水平部が一体化している。この態様は、操作パネル１の各組の保持用穴１１、１１の間隔を狭くし、ボタンホルダー部材固定のための壁面積を十分に取ることができる点と、固定用部分４ａの剛性を高め、変形の発生を少なくする点で有利である。
しかし、押しボタンの配置間隔が大きいような場合には、固定用部分４ａにおける面板部４０を全幅とし、その両端に嵌合用突片４１、４１を突設してもよい。
【００１８】
なお、係合部の突起と凹部の関係は、実施例と逆すなわち押しボタン部材２に凹部を設け、ボタンホルダー部材４に突起を設けてもよい。
また、操作パネル１は、これの外側に装飾用のパネルを重ねてもよい。
【００１９】
本発明の作用を説明すると、組立てに当たっては、操作パネル１の取り付け穴１０に背面側から押しボタン部材２の主部２ａを貫挿させる。これにより、鍔部２２が操作パネルの背面に当接する。この状態でボタンホルダー部材４を適度に操作パネル１に押し付ければ、適度にすぼまり気味の嵌合用突片４１、４１が押しボタン部材２の鍔より上位レベルにある操作パネルの保持用穴１１、１１に貫挿され復元力で密接するとともに、突起４００が支点用穴１２に嵌まる。これにより、面板部４０が操作パネル背面に上下、左右および前後にずれないようにしっかりと位置決め固定される。
【００２０】
この固定と同時に、ボタンホルダー部材４の固定用部分４ａからそれぞれ下っている左右のアーム部４ｂ、４ｂが押しボタン部材２の主部背面の左右部位に近接し、アーム部４ｂ、４ｂの各係合部４２、４２が押しボタン部材２の左右の係合部２３、２３に係合する。
アーム部４ｂ、４ｂの係合部４２、４２が厚肉となっているためアーム部４ｂ、４ｂが弾性的に撓み、これにより押しボタン部材２に対して、付勢力（テンション）が付与されると同時に、上下、左右にずれないようにしっかりと位置決めされる。
【００２１】
あとはこうした組付けアッセンブリーに導光部材５を取り付けてある基板３を組み付ければよく、導光部材５はボタンホルダー部材４の左右のアーム部４ｂ、４ｂ間のスペースＳに収まり、押しボタン部材２の操作用軸部４ｂは基板３上のスイッチ３ａに接近あるいは当接する。以上で組立てが完了するので作業は容易である。
【００２２】
このようにして得られた図４の組立て状態においては、押しボタン部材２の主部２ａと操作用軸部２ｂの軸線がずれているため、そのずれで形成される空間に延びる導光部材５からの光が導光路２１を通して主部天面から放射される。
前記のように押しボタン部材２の主部２ａと操作用軸部2ｂの軸線がずれているにもかかわらず、押しボタン部材２の左右の係合部２３、２３にボタンホルダー部材４の左右の係合部４２、４２が球面座をもって嵌合し、かつ、ばね性の左右のアーム部４ｂ、４ｂにより付勢されている。このため、正確な位置決め状態が得られるとともに、押しボタン部材２がガタ付きのない状態とされ、各押しボタンの突出状態が整然と揃った状態になる。
【００２３】
そして、ボタン操作時に、押しボタン部材２の主部２ａを押し込むと操作用軸部２ｂがスイッチ３ａに当接するが、押しボタン部材２の主部２ａと操作用軸部２ｂの軸線がずれているにもかかわらず、操作用軸部２ｂの存しない背面部分が、前記のような係合部同士のテンションを持った嵌まりあいで支持されており、押しボタン部材２の押し込みによりアーム部４ｂ、４ｂが後方にたわみ、ついで押しボタン部材２の押圧開放で復元する。
【００２４】
このように、押しボタン部材２が両持ち支持されつつ並進動作をするので、押しボタン部材が傾かず、安定的で良好な操作感が得られる。
また、押しボタン部材そのものにヒンジ構造を持たしておらず、ボタンホルダー部材４という剛性のある成形品にヒンジを持たせて押しボタン部材２を保持するので、各押しボタン部材２の配置間隔に大小があっても上記各作用が均一に得られる。
【図面の簡単な説明】
【００２５】
【図１】従来の押しボタン装置を分解状態で示す斜視図である。
【図２】組立て状態の断面図である。
【図３】本発明に係る押しボタン装置を分解状態で示す斜視図である。
【図４】（ａ）は組立て状態の断面図、（ｂ）は（ａ）のＸ−Ｘ線に沿う断面図である。
【図５】本発明におけるボタンホルダー部材の斜視図である。
【図６】（ａ）は図５のＹ−Ｙ線に沿う断面図、（ｂ）は同じくＺ−Ｚ線に沿う断面図である。
【図７】本発明における押しボタン部材の背面側からの斜視図である。
【符号の説明】
【００２６】
１  操作パネル
２  押しボタン部材
２ａ  主部
２ｂ  操作用軸部
４  ボタンホルダー部材
４ａ  固定用部分
４ｂ  アーム部
５  導光部材
２３   係合部  
４０  面板
４１  嵌合用突片
４２  係合部
【図１】
2005267903.tif 000003
【図２】
2005267903.tif 000004
【図３】
2005267903.tif 000005
【図４】
2005267903.tif 000006
【図５】
2005267903.tif 000007
【図６】
2005267903.tif 000008
【図７】
2005267903.tif 000009